(57)【要約】【課題】  ユーザの希望するコンテンツ群のスライドショーを行えるコンテンツ再生方法を提供することを目的とする。【解決手段】  機器内に存在する複数のコンテンツ（Ｃ）の表示方法において、代表表示フラグ参照ステップ（Ｓ３５０）で代表表示フラグが参照され、再生対象コンテンツ決定ステップ（Ｓ３６０）で記代表表示フラグのセットされたコンテンツのコンテンツ識別子のみを抜き出され、自動再生グループ代表サムネイル表示ステップ（Ｓ３７０）で再生対象コンテンツ一覧にセットさたコンテンツ（Ｃ）がサムネイル表示される。【選択図】  図１
2006067388.tif 000002
【特許請求の範囲】
【請求項１】
機器内に存在する複数のコンテンツの表示方法であって、
前記代表表示フラグを参照する代表表示フラグ参照ステップと、
前記代表表示フラグのセットされたコンテンツの前記コンテンツ識別子のみを抜き出し、再生対象コンテンツ一覧にセットする再生対象コンテンツ決定ステップと、
前記再生対象コンテンツ一覧にセットされたコンテンツをサムネイル表示する自動再生グループ代表サムネイル表示ステップを備えるコンテンツ表示方法。
【請求項２】
全てのコンテンツのサムネイル表示と請求項１に記載のコンテンツの表示方法を切り替えることができることを特徴とするコンテンツ表示方法。
【請求項３】
ネットワークを介して参照可能な機器に存在するコンテンツも対象にできることを特徴とする請求項１に記載のコンテンツ表示方法。
【請求項４】
請求項１項に記載のコンテンツ表示方法において、機器内に存在するコンテンツ群を表示するための自動再生制御情報であって、
前記複数のコンテンツを関連性のあるもので分類されるコンテンツ群毎に自動再生グループとしてまとめ、当該自動再生グループのそれぞれ識別するために使用される自動再生グループフラグと、
前記コンテンツのそれぞれを識別するコンテンツ識別子と、
前記自動再生グループ内のコンテンツを代表するサムネイルであることを識別する代表表示フラグを備える自動再生制御情報。
【請求項５】
新規コンテンツのヘッダ等に含まれるパラメータを読みだすパラメータ読み出しステップと、
前記パラメータと前記自動再生グループ内のコンテンツの前記パラメータの代表値との差分が一定の閾値以内に収まるかどうかを調べ、新規コンテンツをどの前記自動再生グループに含めるかを判定する新規コンテンツグループ分けステップと、
前記新規コンテンツに対して前記新規コンテンツグループ分けステップによって所属先と判定された前記自動再生グループの前記自動再生グループフラグを前記自動再生制御情報に設定する、自動再生グループフラグ設定ステップと、
現在処理中の前記新規コンテンツを一意に識別することのできるファイルパス等の識別子をコンテンツ識別子として、前記自動再生制御情報に設定する、コンテンツ識別子設定ステップと、
全てのコンテンツの処理が終了したかどうかをチェックし、終了している場合は次のステップに進み、終了していない場合は前記パラメータ読み出しステップに戻る全コンテンツ終了チェックステップと、
前記自動再生制御情報を参照し、同一の前記自動再生グループフラグの設定されたレコードの中で、最初に設定されたレコードの代表表示フラグをセットする代表表示フラグ設定ステップ、を有することを特徴とする、前記自動再生グループフラグの設定方法。
【請求項６】
前記パラメータがコンテンツの撮影日時であることを特徴とする、請求項５に記載の前記自動再生グループフラグの設定方法。
【請求項７】
前記パラメータがコンテンツの撮影場所であることを特徴とする、請求項５に記載の前記自動再生グループフラグの設定方法。
【請求項８】
前記パラメータがコンテンツのタイトル名であることを特徴とする、請求項５に記載の前記自動再生グループフラグの設定方法。
【請求項９】
前記パラメータがコンテンツのチャンネル番号であることを特徴とする、請求項５に記載の前記自動再生グループフラグの設定方法。
【請求項１０】
前記パラメータ読み出しステップは複数の種類の前記パラメータを読み出す機能をさらに有し、前記新規コンテンツグループ分けステップは各前記パラメータについて、各前記自動再生グループ内のコンテンツの各前記パラメータの各前記代表値との差分を計算し、前記所属先を各差分から総合的に判定する機能をさらに有することを特徴とする、請求項５に記載の前記自動再生グループフラグの設定方法。
【請求項１１】
前記新規コンテンツグループ分けステップにおいて参照される、前記閾値および前記代表値があらかじめユーザによって設定されていることを特徴とする、請求項５から請求項１０の何れかに記載の前記自動再生グループフラグの設定方法。
【請求項１２】
前記新規コンテンツグループ分けステップにおいて参照される、前記閾値が、全コンテンツを対象として前記パラメータの度数分布を作成する度数分布計算ステップと、度数分布を、一次関数などの数式でモデリングし、モデリングした数式から各コンテンツをグループ分けする度数分布モデリングステップと、各グループの分散を計算し、前記閾値を推定する、閾値決定ステップにより求められることを特徴とする、請求項５から請求項１０の何れかに記載の前記自動再生グループフラグの設定方法。
【請求項１３】
前記新規コンテンツグループ分けステップにおいて参照される、前記代表値が、全コンテンツを対象として前記パラメータの度数分布を作成する度数分布計算ステップと、度数分布を、一次関数などの数式でモデリングし、モデリングした数式から各コンテンツをグループ分けする度数分布モデリングステップと、各グループの平均値を計算し、前記代表値を推定する代表値決定ステップにより求められることを特徴とする、請求項５から請求項１０の何れかに記載の前記自動再生グループフラグの設定方法。
【請求項１４】
前記自動再生制御情報はＤＰＯＦファイルであることを特徴とする請求項２から請求項４の何れかに記載のコンテンツの表示方法。
【請求項１５】
前記自動再生制御情報はＤＰＯＦファイルであることを特徴とする請求項５から請求項１３の何れかに記載の前記自動再生グループフラグの設定方法。
【発明の詳細な説明】
【技術分野】
【０００１】
本発明は、音声や映像などのコンテンツを表示するコンテンツ表示方法。
【背景技術】
【０００２】
スライドショーなどのコンテンツ自動再生においては、ユーザが自動再生させたいコンテンツ群に対して同一の自動再生グループフラグを設定する必要がある。通常、ＰＣ上の専用アプリケーションソフトウェアを利用するか、表示端末上でユーザが操作することによって設定を行う。設定内容をＤＰＯＦ（Ｄｉｇｉｔａｌ  Ｐｒｉｎｔ  Ｏｒｄｅｒ  Ｆｏｒｍａｔ）ファイルに保存する方法がある。  また、再生装置においてコンテンツのパラメータを読み取り、スライドショーの順序を自動的に決定して再生を行う方法（特許文献）が既知である。また、スライドショー設定されたコンテンツの画面表示方法としては全コンテンツのサムネイル表示が一般的である。
【特許文献１】特開平１１−３４４７７１号公報
【発明の開示】
【発明が解決しようとする課題】
【０００３】
上述の設定内容をＤＰＯＦファイルで保存する方法においては、自動再生グループフラグの設定を事前に行わなければならない。つまり、ユーザがスライドショー表示をしたいと思っても直ぐに表示できずユーザの使用感の悪い。さらに、ユーザは、事前に設定して、さらにＤＰＯＦファイルとして保存するという煩わしい作業が強いられる。
【０００４】
また、再生装置においてコンテンツのパラメータを読みとる方法においては、必然的に全コンテンツがスライドショーの対象となり、表示するコンテンツをユーザが個別に選択することができない。結果として、ユーザの意図を反映させることができずに、ユーザが望まないコンテンツまでスライドショー表示されてしまう。
【０００５】
また、設定されたコンテンツがサムネイルとして表示される方法においては、スライドショー設定されたコンテンツもそうでないコンテンツも含む全コンテンツがサムネイル表示される。そのために、所望のコンテンツを参照する際には、限られた表示画面内で全コンテンツを対象にしてスクロールしなければならず、やはり煩わしいものである。
よって、本発明は、複数のコンテンツを互いに関連するコンテンツを自動的に判断してグループ化しユーザの希望するコンテンツ群のスライドショーを行えるコンテンツ再生方法を提供することを目的とする。
【課題を解決するための手段】
【０００６】
本発明は、機器内に存在する複数のコンテンツの表示方法であって、
前記代表表示フラグを参照する代表表示フラグ参照ステップと、
前記代表表示フラグのセットされたコンテンツの前記コンテンツ識別子のみを抜き出し、再生対象コンテンツ一覧にセットする再生対象コンテンツ決定ステップと、
前記再生対象コンテンツ一覧にセットされたコンテンツをサムネイル表示する自動再生グループ代表サムネイル表示ステップを備える。
【発明の効果】
【０００７】
本発明によれば、撮影日時や撮影場所、タイトル名や録画したチャンネルの情報から、互いに関連するコンテンツを自動的に判断してグループ化し、自動再生フラグの設定を行うことができる。これにより、自動再生フラグの設定を自動化でき、煩わしい設定を行う必要がなくなる。また、自動再生グループ毎にコンテンツを分類することが可能になり、ユーザの希望するコンテンツ群のスライドショーを行うことが可能になる。
また、各自動再生グループの自動再生グループを撮影日時や撮影場所等に基づき、関連性の高いコンテンツ群で構成し、先頭コンテンツのみをサムネイル表示することにより、直感的かつ階層的にコンテンツの参照を行える。さらに、自動再生グループ単位でのサムネイル表示が可能であり、その為に必要な自動再生グループフラグを自動的設定できるので、ユーザの手間をより軽減できる。
【発明を実施するための最良の形態】
【０００８】
（第１の実施形態）
以下に、図１、図２、図３、図４、図５、図６、図７、および図８を参照して、本発明の第１の実施の形態にかかるコンテンツ自動再生方法について説明する。なお、本発明におけるコンテンツの自動再生は、表示画面１００のページＰ毎に、コンテンツＣのサムネイル画像を並列的に自動的表示する方法と、１つのページＰを他のページＰに対する見出しとしてサムネイルを階層的に表示する方法に大別される。前者を並列表示と呼び、後者を階層表示と呼んで、それぞれを識別する。
【０００９】
先ず、図１〜図４を参照して、コンテンツＣのサムネイル画像の並列表示方法について説明する。図１に示されたＣ１〜Ｃ１７は、表示画面１００に表示される１７のコンテンツＣ１〜コンテンツＣ１７のサムネイル画像を表している。同例においては、表示画面１００には、６つのコンテンツＣのサムネイル画像を同時に表示することができる。つまり、表示画面１００は、１７のコンテンツＣ１〜Ｃ１７のサムネイル画像を３回に分けて表示できる。
【００１０】
つまり、所定数のコンテンツＣのサムネイル画像が数回に分けて表示される際の表示画面１００のそれぞれの画面をページＰと呼ぶ。つまり、本例においては、表示画面１００の第１ページＰ１にコンテンツＣ１〜コンテンツＣ６のサムネイル画像が表示され、第２ページＰ２にコンテンツＣ７〜コンテンツＣ１２のサムネイル画像が表示され、第３ページＰ３にコンテンツＣ１３〜Ｃ１７のサムネイル画像が表示される。なお、１ページＰに表示できるサムネイル画像の数をページ単位サムネイル表示数と呼ぶ。
【００１１】
次に、図２に示すフローチャートに基づいて、複数のコンテンツを１つのページＰあたりに所定のコンテンツが表示可能な表示画面１００に並列表示させる方法について説明する。なお、上述のように、本例においては、１７のコンテンツＣ１〜Ｃ１７を１つのページＰ当たり６つコンテンツＣのサムネイル画像が表示可能な表示画面１００に表示される。
【００１２】
先ず、ステップＳ３００において、表示対象コンテンツ一覧１１０が取得される。つまり、表示画面１００のページ単位サムネイル表示数（本例においては６）のコンテンツのサムネイル画像が表示対象コンテンツ一覧１１０にセットされる。
【００１３】
表示対象コンテンツ一覧１１０は、図３に示すように、表示対象コンテンツ一覧１１０は、ページ番号１２０、リスト番号１３０、およびコンテンツ識別子１４０を含む。さらに、図４に、表示対象コンテンツ一覧１１０の具体例を示す。表示対象コンテンツ一覧１１０には、ページ番号１２０としては「１」がセットされ、リスト番号１３０としては「１〜６」がセットされ、コンテンツ識別子１４０としては「ａ：￥ｄｃｉｍ￥１００ｃｄｐｆｐ￥ｉｍｇａ０００１．ｊｐｇ〜ａ：￥ｄｃｉｍ￥１００ｃｄｐｆｐ￥ｉｍｇａ０００６．ｊｐｇ」がセットされている。つまり、第１ページＰ１に、６のコンテンツのサムネイル画像ｉｍｇａ０００１．ｊｐｇ〜ｉｍｇａ０００６．ｊｐｇがセットされている。
【００１４】
図２に戻って、ステップＳ３１０において、表示対象コンテンツ一覧１１０に基づいて、６のコンテンツのサムネイル画像ｉｍｇａ０００１．ｊｐｇ〜ｉｍｇａ０００６．ｊｐｇが表示される。その後、ユーザの改ページ操作を受け付けると次の６個のコンテンツを対象に同様の処理を行うことにより、サムネイルの並列表が実行される。
【００１５】
次に、図５〜図８を参照して、コンテンツＣのサムネイル画像の階層表示方法について説明する。階層表示方法においては、並列表示方法におけるページＰ１〜Ｐ３に対して、それらの目次となるページＰｉが追加されて設けられる。図５に、表示画面１００に表示される目次ページＰｉの例を示す。階層表示方法においては、全てのコンテンツＣ１〜Ｃ１７のサムネイル画像が、並列表示方法における各ページＰの単位（本例では、６つのコンテンツのサムネイル画像）でグループ化されている。つまり、コンテンツＣ１〜Ｃ６のサムネイル画像が自動再生グループＧ１に分類され、コンテンツＣ７〜Ｃ１２のサムネイル画像が自動再生グループＧ２に分類され、コンテンツＣ１３〜Ｃ１７のサムネイル画像が自動再生グループＧ３に分類されている。つまり、目次ページＰｉにはコンテンツＣ１〜Ｃ６を含自動再生グループＧ１、自動再生グループＧ２、および自動再生グループＧ３が表示される。なお、各自動再生グループＧに含まれるコンテンツＣのサムネイル情報は、自動再生制御情報２００によって管理される。
【００１６】
図６に示すように、自動再生制御情報２００は、自動再生グループフラグ２１０、コンテンツ識別子２２０、および代表表示フラグ２３０を含む。さらに、図６に、自動再生制御情報２００の具体例を示す。自動再生制御情報２００には、自動再生グループフラグ２１０としては「Ｇ１、Ｇ２、Ｇ３」がセットされ、コンテンツ識別子２２０としては「ａ：￥ｄｃｉｍ￥１００ｃｄｐｆｐ￥ｉｍｇａ０００１．ｊｐｇ〜ａ：￥ｄｃｉｍ￥１００ｃｄｐｆｐ￥ｉｍｇａ０００６．ｊｐｇ」がセットされ、代表表示フラグ２３０としては「１」或いは「０」がセットされている。
【００１７】
つまり、ｉｍｇａ００１．ｊｐｇ、ｉｍｇａ００６。ｊｐｇ、およびｉｍｇａ００１３．ｊｐｇに対して、代表表示フラグ２３０として「１」がセットされている。そして、ｉｍａｇ００１．ｊｐｇ〜ｉｍｇａ００６．ｊｐｇ、ｉｍａｇ００７．ｊｐｇ〜ｉｍｇａ００１２．ｊｐｇ、およびｉｍａｇ００１３．ｊｐｇ〜ｉｍｇａ００１７．ｊｐｇのそれぞれに対して、自動再生グループフラグ２１０として、「Ｇ１」、「Ｇ２」、および「Ｇ３」がセットされている。
【００１８】
これは、コンテンツＣ１のサブネイル画像がコンテンツＣ１〜Ｃ６を含む自動再生グループＧ１の全体を代表して、表示対象コンテンツ一覧１１０の目次ページＰｉに表示されることを意味している。同様に、コンテンツＣ７〜Ｃ１２を含む自動再生グループＧ２の全体を代表して、コンテンツＣ７のサムネイル画像が目次ページＰｉに表示され、コンテンツＣ１３〜Ｃ１７を含む自動再生グループＧ３の全体を代表して、コンテンツＣ１３のサムネイル画像が目次ページＰｉに表示される。
【００１９】
次に、図８に示すフローチャートに基づいて、複数の自動再生グループＧを目次ページＰｉに階層表示させる方法について説明する。なお、言うまでもなく、図６および図７に例示したように、自動再生制御情報２００はセットされているものとする。
【００２０】
ステップＳ３５０において、代表表示フラグ２３０が参照される。
ステップ３６０において、代表表示フラグ２３０として「１」がセットされているレコードに対して、コンテンツ識別子２２０の値が抜き出される。
【００２１】
ステップＳ３７０において、ステップＳ３６０で抜き出されたコンテンツ識別子２２０に対応するサムネイル画像が表示対象コンテンツ一覧１１０で目次ページＰｉとして表示される。その後、ユーザの目次ページＰｉに対する改ページ操作を受け付けると次の６個の自動再生グループ代表コンテンツを対象に同様に処理されてサムネイル表示が行われる。このように各自動再生グループの先頭コンテンツのみをサムネイル表示することにより、直感的、階層的にコンテンツの参照を行うことが可能になる。
【００２２】
（第２の実施形態）
以下に、図９、図１０、および図１１を参照して、本発明の第２の実施の形態にかかるコンテンツの自動再生方法について説明する。本実施の形態においては、上述の第１の実施の形態にかかるコンテンツの自動再生方法に、自動再生グループフラグ２１０を自動的に設定する機能が追加されている。
具体的には、図９に示すようなコンテンツのヘッダに含まれる各パラメータ４００を利用してコンテンツをいくつかの自動再生グループに分類することを目的としている。パラメータ４００の例としてここでは撮影日時４１０、撮影場所４２０、およびタイトル名４３０が設定されている。
【００２３】
また、図１０に示す各自動再生グループ内のＧ１代表値４４０、Ｇ１閾値４５０およびＧ２代表値４６０、およびＧ２閾値４７０はユーザによって予め設定されているものとする。
【００２４】
図１１に示すように、ステップＳ５００において、パラメータ４００が読み出される。一例として、パラメータ４００としては撮影日時４１０が読み出されるものとする。
ステップＳ５１０において、新規コンテンツグループ分けが行われる。具体的には、撮影日時４１０と自動再生グループ１のＧ１代表値４４０との差分がＧ１閾値４５０以内に収まるかどうか、また自動再生グループ２のＧ２代表値４６０との差分がＧ２閾値４７０以内に収まるかどうかが調べられて、該当する自動再生グループＧが決定される。なお、本例においては、自動再生グループＧ１に決定されたものとする。
【００２５】
ステップＳ５２０において、ステップＳ５１０で新規コンテンツの所属先であると判定された自動再生グループ１のＧ１自動再生グループフラグ４８０が自動再生制御情報２００内の自動再生グループフラグ２１０に設定される。
ステップ５３０において、現在、処理を行ったコンテンツのファイルパスがコンテンツ識別子２２０に設定される。
【００２６】
ステップＳ５４０において、全てのコンテンツの処理が終了したかどうかが判断される。終了している、つまりＹｅｓの場合は次のステップＳ５５０に進み、終了していない場合には上述のステップＳ５００に戻る。
ステップＳ５５０において、自動再生制御情報２００に基づいて、同一の自動再生グループフラグ２１０の設定されたレコードの中で、最初に設定されたレコードの代表表示フラグ２３０に１が設定される。このようにして、撮影日時によってコンテンツを自動再生グループに分割することができる。なお、本実施の形態においては、撮影日時を分類の基準としているが、その他の情報も分類基準として使用できることは言うまでもない。
【００２７】
（第３の実施形態）
以下に、図１２を参照して、本発明の第３の実施の形態にかかるコンテンツの自動再生方法について説明する。本実施の形態においては、上述の第２の実施の形態にかかるコンテンツの自動再生方法におけるように、Ｇ１代表値４４０、Ｇ１閾値４５０およびＧ２代表値４６０、Ｇ２閾値４７０の設定をユーザが行う必要はなく、自動的に行われる機能を有している。具体的な動作については、図１２を参照して説明する。
【００２８】
ステップＳ５６０において、全コンテンツを対象として撮影日時４１０の度数分布が作成される。
ステップＳ５７０において、度数分布を一次関数などの数式でモデリングされて、モデリングした数式から各コンテンツがグループ分けされる。
ステップＳ５８０において、各グループの平均値が計算されて、Ｇ１代表値４４０およびＧ２代表値４６０が求められる。
ステップＳ５９０において、各グループの分散が計算されてＧ１閾値４５０およびＧ２閾値４７０が求められる。このようにして、代表値および閾値が自動的に決定される。つまり、時間的に近い日時に撮影されたコンテンツを自動再生グループに設定するための代表値と閾値を自動的に決定することができる。これ以外は第２の実施の形態の手順に従うことによって、撮影日時によってコンテンツを自動再生グループに分割することができる。
【産業上の利用可能性】
【００２９】
表示画面のサイズが限られたモバイル機器等において、増え続けるコンテンツの参照方法として利用できる。
【図面の簡単な説明】
【００３０】
【図１】全コンテンツのサムネイルによる表示方法
【図２】全コンテンツのサムネイルによる表示処理
【図３】表示対象コンテンツ一覧
【図４】表示対象コンテンツ一覧の例
【図５】自動再生グループの代表コンテンツのサムネイルによる表示方法
【図６】自動再生制御情報
【図７】自動再生制御情報の例
【図８】自動再生グループの代表コンテンツのサムネイルによる表示処理
【図９】コンテンツのヘッダに含まれるパラメータの例
【図１０】自動再生グループの代表値と閾値の例
【図１１】自動再生グループフラグ設定の処理手順
【図１２】代表値、閾値自動設定の処理手順
【符号の説明】
【００３１】
Ｃ１〜Ｃ１７  サムネイル画像
Ｇ１，Ｇ２，Ｇ３  自動再生グループ
１００  表示画面
１１０  表示対象コンテンツ一覧
１２０  ページ番号
１３０  リスト番号
１４０  コンテンツ識別子
２００  自動再生制御情報
２１０  自動再生グループフラグ
２２０  コンテンツ識別子
２３０  代表表示フラグ
３００  表示対象コンテンツ一覧取得ステップ
３１０  サムネイル表示ステップ
３５０  代表表示フラグ参照ステップ
３６０  再生対象コンテンツ決定ステップ
３７０  自動再生グループ代表サムネイル表示ステップ
４００  パラメータ
４１０  撮影日時
４２０  撮影場所
４３０  タイトル名
４４０  Ｇ１代表値
４５０  Ｇ１閾値
４６０  Ｇ２代表値
４７０  Ｇ２閾値
【図１】
2006067388.tif 000003
【図２】
2006067388.tif 000004
【図３】
2006067388.tif 000005
【図４】
2006067388.tif 000006
【図５】
2006067388.tif 000007
【図６】
2006067388.tif 000008
【図７】
2006067388.tif 000009
【図８】
2006067388.tif 000010
【図９】
2006067388.tif 000011
【図１０】
2006067388.tif 000012
【図１１】
2006067388.tif 000013
【図１２】
2006067388.tif 000014